(57)【要約】【課題】トイレットペーパーの糊付けされた巻き取り端部の位置およびトイレットペーパーの巻き取り方向が一目で判かるトイレットペーパー体を提供する。【解決手段】紙管４にロール状に巻き取られたトイレットペーパー３の外面に位置する巻き取り端部５が前記トイレットペーパー３の外面に固定されたトイレットペーパー体１において、前記巻き取り端部５には、トイレットペーパー３の巻き取り方向を表示する表示手段である矢印６が設けられている。【選択図】図１
2015047369.tif 000002
【特許請求の範囲】
【請求項１】
紙管にロール状に巻き取られたトイレットペーパーの外面に位置する巻き取り端部が前記トイレットペーパーの外面に固定されたトイレットペーパー体において、
前記巻き取り端部には、トイレットペーパーの巻き取り方向を表示する表示手段が設けられていることを特徴とするトイレットペーパー体。
【請求項２】
前記表示手段は、巻き取り端部の外面に設けられたマークであることを特徴とする請求項１に記載のトイレットペーパー体。
【請求項３】
前記表示手段は、巻き取り端部外面に設けられた色彩であることを特徴とする請求項１に記載のトイレットペーパー体。
【発明の詳細な説明】
【技術分野】
【０００１】
本発明は、トイレットペーパーがロール状に巻き取られたトイレットペーパー体に関する。
【背景技術】
【０００２】
紙管にロール状に巻き取られたトイレットペーパーの外面に位置する巻き取り端部は、トイレットペーパーに糊付けされており、トイレットペーパー体をトイレットペーパーホルダーに取り付けるときには、この巻き取り端部をトイレットペーパーホルダーの手前側に位置させて、トイレットペーパーを下方に引き出すことができるように取り付けられる。
【先行技術文献】
【特許文献】
【０００３】
【特許文献１】特開２００６−１０２４０９号公報
【発明の概要】
【発明が解決しようとする課題】
【０００４】
ところが、トイレットペーパーが糊付けされた巻き取り端部の位置が判かり難い場合がある。あるいはトイレットペーパーの端部の位置自体は判かっても、トイレットペーパーの巻き取り方向が判かり難い場合がある。このような場合には、トイレットペーパー体を誤って逆向きの状態でトイレットペーパーホルダーに取り付けてしまうことがあった。一旦逆向きに取り付けてしまうと、うまくトイレットペーパーを繰り出すことができないので、トイレットペーパーをトイレットペーパーホルダーから取り外した上で、再度装着し直す必要があり、手間がかかる。特に、使用者が用を足した後に、取り付け方向が間違っていることに気付いた場合は、非常に難儀することがあった。
【０００５】
本発明は、このような従来の問題点に鑑みてなされたものであり、その主な目的は、トイレットペーパーの糊付けされた巻き取り端部の位置およびトイレットペーパーの巻き取り方向が一目で判かるトイレットペーパー体を提供することである。
【課題を解決するための手段及び発明の効果】
【０００６】
上記目的を達成するために、本発明の一のトイレットペーパー体によれば、紙管にロール状に巻き取られたトイレットペーパーの外面に位置する巻き取り端部が前記トイレットペーパーの外面に固定されたトイレットペーパー体において、前記巻き取り端部には、トイレットペーパーの巻き取り方向を表示する表示手段が設けられている。
【０００７】
上記構成によると、トイレットペーパーの巻き取り端部には表示手段が設けられているので、巻き取り端部の位置とトイレットペーパーの巻き取り方向とが一目で判かる。
【０００８】
また、前記表示手段は巻き取り端部の外面に設けられたマークである。
【０００９】
上記構成によると、巻き取り端部の外面にマークを設けて、巻き取り端部の位置およびトイレットペーパーの巻き取り方向を簡単に示すことができる。
【００１０】
また、前記表示手段は巻き取り端部の外面に設けられた色彩である。
【００１１】
上記構成によると、巻き取り端部の外面に色彩を設けて、巻き取り端部の位置およびトイレットペーパーの巻き取り方向を簡単に示すことができる。
【図面の簡単な説明】
【００１２】
【図１】本発明の第１の実施形態に係るトイレットペーパー体の外観図である。
【図２】トイレットペーパー体をトイレットペーパーホルダーに取り付けた状態の斜視図である。
【図３】トイレットペーパーを引き出す状態の斜視図である。
【図４】第２の実施形態に係るトイレットペーパー体の外観図である。
【図５】第３の実施形態に係るトイレットペーパー体の外観図である。
【図６】変形例に係るトイレットペーパー体の外観図である。
【図７】他の変形例に係るトイレットペーパー体の外観図である。
【図８】さらに他の変形例に係るトイレットペーパー体の外観図である。
【発明を実施するための形態】
【００１３】
以下、本発明の第１の実施形態について図面に基づいて説明する。ただし、以下に示す実施例は、本発明の技術思想を具体化するためのトイレットペーパー体を例示するものであって、トイレットペーパー体を以下のものに特定するものではない。
【００１４】
図１は本発明の第１の実施形態に係るトイレットペーパー体１の斜視図である。図２はトイレットペーパー体１をトイレットペーパーホルダー２に取り付けた状態の斜視図である。図３はトイレットペーパー３を引き出した状態の斜視図である。トイレットペーパー体１は、筒状の紙管４と、紙管４にロール状に巻き取られたトイレットペーパー３とを備えており、紙管４に巻き取られたトイレットペーパー３の巻き取り端部５は、トイレットペーパー３の外面に糊付けされている。
【００１５】
この巻き取り端部５の外面には、トイレットペーパー３の引き出し方向を示す矢印６が表示されている。矢印６は、たとえばゴム印を押して表示するものでもよく、あるいはインクジェットプリンタなどを用いて印刷するものでもよい。巻き取り端部５に表示されるものは矢印６に限定されるものではなく、トイレットペーパー３の巻き取り方向が判かるものであれば他のマークであっても良い。あるいは文字を用いることもできる。例えば図６の変形例に示すように、ハート型のマーク６Ｂとしても良いし、あるいは図７の変形例に示すように、スペード型のマーク６Ｃとしても良い。
【００１６】
図２に示すように、巻き取り端部５に表示された矢印６が、トイレットペーパーホルダー２の手前側に位置した状態で下向きになるように、トイレットペーパー３をトイレットペーパーホルダー２に取り付けることによって、トイレットペーパー３を正しく取り付けることができる。
【００１７】
図３に示すように、使用者はトイレットペーパー３の巻き取り端部５に表示された矢印６の方向に従ってトイレットペーパー３を下方に引き出して使用することができる。
【００１８】
図４は本発明の第２の実施形態に係るトイレットペーパー体１の斜視図である。トイレットペーパー３の巻き取り端部５には、巻き取り方向が判かる外面に凸状の矢印７が設けられている。矢印７は、たとえばエンボス加工によって形成される。このようにするとインクなどを使用することなく巻き取り端部５の位置およびトイレットペーパー３の巻き取り方向を示すことができる。
【００１９】
図５は本発明の第３の実施形態に係るトイレットペーパー体１の斜視図である。トイレットペーパー３の巻き取り端部５近傍の外面には、巻き取り端部５に向かってなだらかに濃くなる色彩８が付されている。このようにすると、遠目からでも容易に巻き取り端部５の位置およびトイレットペーパー３の巻き取り方向を示すことができる。
【００２０】
さらに表示手段は、マークや色、模様、グラデーションパターン等に限らず、形状で示すこともできる。例えば図８の変形例に示すように、巻き取り端部の形状９を、直線状とせず、予め三角形状等とすることで、巻き取り方向を示すようにすることもできる。
【産業上の利用可能性】
【００２１】
本発明のトイレットペーパー体は、巻き取り方向を示すトイレットペーパーとして好適に利用できる。また、トイレットペーパーに限らず、キッチンタオルや食品用ラップフィルム、ファクシミリ用紙等、他の巻き取り体においても、最初にセットする際に巻き取り方向を示す指標として好適に利用できる。
【符号の説明】
【００２２】
１…トイレットペーパー体
２…トイレットペーパーホルダー
３…トイレットペーパー
４…紙管
５…巻き取り端部
６，６Ｂ，６Ｃ，７…矢印
８…色彩
９…巻き取り端部の形状
【図１】
2015047369.tif 000003
【図２】
2015047369.tif 000004
【図３】
2015047369.tif 000005
【図４】
2015047369.tif 000006
【図５】
2015047369.tif 000007
【図６】
2015047369.tif 000008
【図７】
2015047369.tif 000009
【図８】
2015047369.tif 000010